(57)【要約】【課題】使い勝手のよいガスコンロの提供。【解決手段】制御手段Ｈは、バーナ１，３の燃焼中に、火力指令手段による指令情報に基づいて、バーナ１，３への燃料ガス供給量を調節する火力調節作動を実行するとともに、点火消火指令手段により消火が指令されていない状態で、燃焼センサ１０による検出値に基づいて断火状態を検出すると、バーナ１，３への燃料ガスの供給を強制的に停止する強制消火作動を実行し、火力指令手段にて弱火が指令されている状態において、燃焼センサ１０の検出値が弱火用設定範囲にあるときに、点火消火指令手段により消火が指令されていない状態で、燃焼センサ１０による検出値に基づいて断火状態を検出すると、吹き消え消火状態であると判別するように構成されている。【選択図】　　　　図３
2004108694.tif 000002
【特許請求の範囲】
【請求項１】
火力を調節自在なバーナと、そのバーナによる火力を指令する火力指令手段と、前記バーナの点火および消火を指令する点火消火指令手段と、前記バーナにより生成される火炎に対して検出作用する燃焼センサと、前記バーナの燃焼を制御する制御手段とが設けられ、
前記制御手段は、前記点火消火指令手段により点火が指令されると、前記バーナに燃料ガスを供給して点火手段を作動させる点火作動を実行し、前記点火消火指令手段により消火が指令されると、前記バーナへの燃料ガスの供給を停止する消火作動を実行し、
前記バーナの燃焼中に、前記火力指令手段による指令情報に基づいて、前記バーナへの燃料ガス供給量を調節する火力調節作動を実行するとともに、前記点火消火指令手段により消火が指令されていない状態で、前記燃焼センサによる検出値に基づいて断火状態を検出すると、前記バーナへの燃料ガスの供給を強制的に停止する強制消火作動を実行するように構成されているガスコンロであって、
前記制御手段は、前記火力指令手段にて弱火が指令されている状態において、前記燃焼センサの検出値が弱火用設定範囲にあるときに、前記点火消火指令手段により消火が指令されていない状態で、前記燃焼センサによる検出値に基づいて断火状態を検出すると、吹き消え消火状態であると判別するように構成されているガスコンロ。
【請求項２】
火力を調節自在なバーナと、そのバーナによる火力を指令する火力指令手段と、前記バーナの点火および消火を指令する点火消火指令手段と、前記バーナにより生成される火炎に対して検出作用する燃焼センサと、前記バーナの燃焼を制御する制御手段とが設けられ、
前記制御手段は、前記点火消火指令手段により点火が指令されると、前記バーナに燃料ガスを供給して点火手段を作動させる点火作動を実行し、前記点火消火指令手段により消火が指令されると、前記バーナへの燃料ガスの供給を停止する消火作動を実行し、
前記バーナの燃焼中に、前記火力指令手段による指令情報に基づいて、前記バーナへの燃料ガス供給量を調節する火力調節作動を実行するとともに、前記点火消火指令手段により消火が指令されていない状態で、前記燃焼センサによる検出値に基づいて断火状態を検出すると、前記バーナへの燃料ガスの供給を強制的に停止する強制消火作動を実行するように構成されているガスコンロであって、
前記制御手段は、前記火力指令手段にて弱火よりも大きい火力が指令されている状態において、前記燃焼センサの検出値が弱火用設定範囲よりも火力増大側であるときに、前記点火消火指令手段により消火が指令されていない状態で、前記燃焼センサの検出値の火力減少側への単位時間当たりの変化量が設定変化量以上である急激変化状態が存在したのち、前記燃焼センサによる検出値に基づいて断火状態を検出すると、煮こぼれ消火状態であると判別するように構成されているガスコンロ。
【請求項３】
火力を調節自在なバーナと、そのバーナによる火力を指令する火力指令手段と、前記バーナの点火および消火を指令する点火消火指令手段と、前記バーナにより生成される火炎に対して検出作用する燃焼センサと、前記バーナの燃焼を制御する制御手段とが設けられ、
前記制御手段は、前記点火消火指令手段により点火が指令されると、前記バーナに燃料ガスを供給して点火手段を作動させる点火作動を実行し、前記点火消火指令手段により消火が指令されると、前記バーナへの燃料ガスの供給を停止する消火作動を実行し、
前記バーナの燃焼中に、前記火力指令手段による指令情報に基づいて、前記バーナへの燃料ガス供給量を調節する火力調節作動を実行するとともに、前記点火消火指令手段により消火が指令されていない状態で、前記燃焼センサによる検出値に基づいて断火状態を検出すると、前記燃焼センサによる検出値が断火用設定値よりも低くなると、前記バーナへの燃料ガスの供給を強制的に停止する強制消火作動を実行するように構成されているガスコンロであって、
前記制御手段は、前記火力指令手段にて弱火よりも大きい火力が指令されている状態において、前記燃焼センサの検出値が弱火用設定範囲よりも火力増大側であるときに、前記点火消火指令手段により消火が指令されていない状態で、前記燃焼センサの検出値の火力減少側への単位時間当たりの変化量が設定変化量未満である緩慢変化状態が存在したのち、前記燃焼センサによる検出値に基づいて断火状態を検出すると、ガス欠消火状態であると判別するように構成されているガスコンロ。
【請求項４】
火力を調節自在なバーナと、そのバーナによる火力を指令する火力指令手段と、前記バーナの点火および消火を指令する点火消火指令手段と、前記バーナにより生成される火炎に対して検出作用する燃焼センサと、前記バーナの燃焼を制御する制御手段とが設けられ、
前記制御手段は、前記点火消火指令手段により点火が指令されると、前記バーナに燃料ガスを供給して点火手段を作動させる点火作動を実行し、前記点火消火指令手段により消火が指令されると、前記バーナへの燃料ガスの供給を停止する消火作動を実行し、
前記バーナの燃焼中に、前記火力指令手段による指令情報に基づいて、前記バーナへの燃料ガス供給量を調節する火力調節作動を実行するとともに、前記点火消火指令手段により消火が指令されていない状態で、前記燃焼センサによる検出値に基づいて断火状態を検出すると、前記バーナへの燃料ガスの供給を強制的に停止する強制消火作動を実行するように構成されているガスコンロであって、
前記制御手段は、強制消火作動の実行原因が吹き消えである前記強制消火作動が頻繁に存在するときには、その後の前記火力調節作動において、弱火用火力が補正用設定量だけ大きい補正弱火用火力になる状態で、前記バーナへの燃料ガス供給量を調節するように構成されているガスコンロ。
【請求項５】
火力を調節自在なバーナと、そのバーナによる火力を指令する火力指令手段と、前記バーナの点火および消火を指令する点火消火指令手段と、前記バーナにより生成される火炎に対して検出作用する燃焼センサと、前記バーナの燃焼を制御する制御手段とが設けられ、
前記制御手段は、前記点火消火指令手段により点火が指令されると、前記バーナに燃料ガスを供給して点火手段を作動させる点火作動を実行し、前記点火消火指令手段により消火が指令されると、前記バーナへの燃料ガスの供給を停止する消火作動を実行し、
前記バーナの燃焼中に、前記火力指令手段による指令情報に基づいて、前記バーナへの燃料ガス供給量を調節する火力調節作動を実行するとともに、前記点火消火指令手段により消火が指令されていない状態で、前記燃焼センサによる検出値に基づいて断火状態を検出すると、前記バーナへの燃料ガスの供給を強制的に停止する強制消火作動を実行するように構成されているガスコンロであって、
前記制御手段は、強制消火作動の実行原因が煮こぼれである前記強制消火作動を実行したのち、前記点火作動の実行により再点火したときには、その再点火後の前記バーナによる火力が、前記燃焼センサによる検出値に基づいて断火状態を検出する前の火力よりも小さい火力になるように、前記バーナへの燃料ガス供給量を調整するように構成されているガスコンロ。
【請求項６】
火力を調節自在なバーナと、そのバーナによる火力を指令する火力指令手段と、前記バーナの点火および消火を指令する点火消火指令手段と、前記バーナにより生成される火炎に対して検出作用する燃焼センサと、前記バーナの燃焼を制御する制御手段とが設けられ、
前記制御手段は、前記点火消火指令手段により点火が指令されると、前記バーナに燃料ガスを供給して点火手段を作動させる点火作動を実行し、前記点火消火指令手段により消火が指令されると、前記バーナへの燃料ガスの供給を停止する消火作動を実行し、
前記バーナの燃焼中に、前記火力指令手段による指令情報に基づいて、前記バーナへの燃料ガス供給量を調節する火力調節作動を実行するとともに、前記点火消火指令手段により消火が指令されていない状態で、前記燃焼センサによる検出値に基づいて断火状態を検出すると、前記バーナへの燃料ガスの供給を強制的に停止する強制消火作動を実行するように構成されているガスコンロであって、
前記制御手段は、強制消火作動の実行原因がガス欠である前記強制消火作動が存在するときには、その後の前記点火作動において、前記点火作動を開始してから通常用着火確認時間よりも長いガス欠後着火確認時間経過するまで、前記点火手段の作動を継続させるように構成されているガスコンロ。
【発明の詳細な説明】
【０００１】
【発明の属する技術分野】
本発明は、火力を調節自在なバーナと、そのバーナによる火力を指令する火力指令手段と、前記バーナの点火および消火を指令する点火消火指令手段と、前記バーナにより生成される火炎に対して検出作用する燃焼センサと、前記バーナの燃焼を制御する制御手段とが設けられ、
前記制御手段は、前記点火消火指令手段により点火が指令されると、前記バーナに燃料ガスを供給して点火手段を作動させる点火作動を実行し、前記点火消火指令手段により消火が指令されると、前記バーナへの燃料ガスの供給を停止する消火作動を実行し、
前記バーナの燃焼中に、前記火力指令手段による指令情報に基づいて、前記バーナへの燃料ガス供給量を調節する火力調節作動を実行するとともに、前記点火消火指令手段により消火が指令されていない状態で、前記燃焼センサによる検出値に基づいて断火状態を検出すると、前記バーナへの燃料ガスの供給を強制的に停止する強制消火作動を実行するように構成されているガスコンロに関する。
【０００２】
【従来の技術】
上記のようなガスコンロは、使用者による点火消火指令手段および火力指令手段による指令にて、バーナを点火させたり、消火させたり、火力を調節するものである。
そして、従来では、制御手段は、バーナの燃焼中において、使用者が点火消火指令手段により消火を指令していない状態で、何らかの原因によってバーナの火が断火したときには、燃焼センサによる検出値に基づいて断火状態を検出することにより、バーナへの燃料ガスの供給を強制的に停止する強制消火作動を実行して、バーナの火が断火したときに、バーナに燃料ガスが供給されるのを阻止し、燃料ガスの流出を阻止するようにしていた（例えば、特許文献１参照。）。
【０００３】
【特許文献１】
特許第２８３４１１９号公報
【０００４】
【発明が解決しようとする課題】
しかしながら、上記従来のガスコンロでは、強制消火作動を実行することにより、バーナの火が断火したときに、単に、バーナに燃料ガスが供給されるのを阻止しているだけであるので、断火の原因を解消するためのメンテナンス作業を行うにしても、まず、断火の原因を追求するための作業から行わなければならず、メンテナンス作業に手間がかかることから、使い勝手の悪いものとなっていた。また、バーナの燃焼中に断火しても、使用者がバーナの燃焼を継続させたいときには、バーナに再点火させることになるが、メンテナンス作業を行うなどによって断火の原因を解消しなければ、再度、同じ原因によってバーナの燃焼中に断火することになり、この点からも使い勝手の悪いものとなっていた。
【０００５】
本発明は、かかる点に着目してなされたものであり、その目的は、使い勝手のよいガスコンロを提供する点にある。
【０００６】
【課題を解決するための手段】
この目的を達成するために、請求項１に記載の発明によれば、火力を調節自在なバーナと、そのバーナによる火力を指令する火力指令手段と、前記バーナの点火および消火を指令する点火消火指令手段と、前記バーナにより生成される火炎に対して検出作用する燃焼センサと、前記バーナの燃焼を制御する制御手段とが設けられ、
前記制御手段は、前記点火消火指令手段により点火が指令されると、前記バーナに燃料ガスを供給して点火手段を作動させる点火作動を実行し、前記点火消火指令手段により消火が指令されると、前記バーナへの燃料ガスの供給を停止する消火作動を実行し、
前記バーナの燃焼中に、前記火力指令手段による指令情報に基づいて、前記バーナへの燃料ガス供給量を調節する火力調節作動を実行するとともに、前記点火消火指令手段により消火が指令されていない状態で、前記燃焼センサによる検出値に基づいて断火状態を検出すると、前記バーナへの燃料ガスの供給を強制的に停止する強制消火作動を実行するように構成されているガスコンロにおいて、
前記制御手段は、前記火力指令手段にて弱火が指令されている状態において、前記燃焼センサの検出値が弱火用設定範囲にあるときに、前記点火消火指令手段により消火が指令されていない状態で、前記燃焼センサによる検出値に基づいて断火状態を検出すると、吹き消え消火状態であると判別するように構成されている。
【０００７】
すなわち、吹き消えによる断火は、バーナによる火力が弱火に調節されて、バーナによる火力が弱いときに起こり、その吹き消えによる断火が起こると、燃焼センサの検出値は、弱火用設定範囲から火力減少側に変化して、断火状態と検出する断火状態検出用範囲となる。
そして、制御手段は、その燃焼センサの検出値の変化を検出することにより、断火の原因が吹き消えである吹き消え消火状態と判別することになるので、吹き消えによってバーナの火が断火したことを判別できることになる。
したがって、制御手段が、断火の原因が吹き消えであると判別すると、その判別結果に基づいて、吹き消えを解消するためのメンテナンス作業や、再度、吹き消えによりバーナの火が断火しないように、バーナへの燃料ガス供給量の調整などを行うことができるので、吹き消えに対する適正な処理を容易に行うことができることになる。
【０００８】
以上のことから、バーナの火が断火しても、その断火の原因に適した処理を容易に行うことができることとなって、使い勝手のよいガスコンロを提供できるに至った。
【０００９】
請求項２に記載の発明によれば、火力を調節自在なバーナと、そのバーナによる火力を指令する火力指令手段と、前記バーナの点火および消火を指令する点火消火指令手段と、前記バーナにより生成される火炎に対して検出作用する燃焼センサと、前記バーナの燃焼を制御する制御手段とが設けられ、
前記制御手段は、前記点火消火指令手段により点火が指令されると、前記バーナに燃料ガスを供給して点火手段を作動させる点火作動を実行し、前記点火消火指令手段により消火が指令されると、前記バーナへの燃料ガスの供給を停止する消火作動を実行し、
前記バーナの燃焼中に、前記火力指令手段による指令情報に基づいて、前記バーナへの燃料ガス供給量を調節する火力調節作動を実行するとともに、前記点火消火指令手段により消火が指令されていない状態で、前記燃焼センサによる検出値に基づいて断火状態を検出すると、前記バーナへの燃料ガスの供給を強制的に停止する強制消火作動を実行するように構成されているガスコンロにおいて、
前記制御手段は、前記火力指令手段にて弱火よりも大きい火力が指令されている状態において、前記燃焼センサの検出値が弱火用設定範囲よりも火力増大側であるときに、前記点火消火指令手段により消火が指令されていない状態で、前記燃焼センサの検出値の火力減少側への単位時間当たりの変化量が設定変化量以上である急激変化状態が存在したのち、前記燃焼センサによる検出値に基づいて断火状態を検出すると、煮こぼれ消火状態であると判別するように構成されている。
【００１０】
すなわち、煮こぼれは、バーナによる火力が弱火よりも大きい火力に調節されて、バーナによる火力が強いときに起こり、その煮こぼれによる断火が起こると、燃焼センサの検出値は、弱火用設定範囲よりも火力増大側から火力減少側に変化して、急激変化状態が存在したのち、断火状態と検出する断火状態検出用範囲となる。
そして、制御手段は、その燃焼センサの検出値の変化を検出することにより、断火の原因が煮こぼれである煮こぼれ消火状態と判別することになるので、煮こぼれによってバーナの火が断火したことを判別できることになる。
したがって、制御手段が、断火の原因が煮こぼれであると判別すると、その判別結果に基づいて、煮こぼれによりバーナに付着した付着物を除去する作業を行う必要があることを使用者に促したり、再度、煮こぼれによりバーナの火が断火しないように、バーナへの燃料ガス供給量の調整などを行うことができるので、煮こぼれに対する適正な処理を容易に行うことができることになる。
【００１１】
以上のことから、バーナの火が断火しても、その断火の原因に適した処理を容易に行うことができることとなって、使い勝手のよいガスコンロを提供できるに至った。
【００１２】
請求項３に記載の発明によれば、火力を調節自在なバーナと、そのバーナによる火力を指令する火力指令手段と、前記バーナの点火および消火を指令する点火消火指令手段と、前記バーナにより生成される火炎に対して検出作用する燃焼センサと、前記バーナの燃焼を制御する制御手段とが設けられ、
前記制御手段は、前記点火消火指令手段により点火が指令されると、前記バーナに燃料ガスを供給して点火手段を作動させる点火作動を実行し、前記点火消火指令手段により消火が指令されると、前記バーナへの燃料ガスの供給を停止する消火作動を実行し、
前記バーナの燃焼中に、前記火力指令手段による指令情報に基づいて、前記バーナへの燃料ガス供給量を調節する火力調節作動を実行するとともに、前記点火消火指令手段により消火が指令されていない状態で、前記燃焼センサによる検出値に基づいて断火状態を検出すると、前記バーナへの燃料ガスの供給を強制的に停止する強制消火作動を実行するように構成されているガスコンロにおいて、
前記制御手段は、前記火力指令手段にて弱火よりも大きい火力が指令されている状態において、前記燃焼センサの検出値が弱火用設定範囲よりも高いときに、前記点火消火指令手段により消火が指令されていない状態で、前記燃焼センサの検出値の火力減少側への単位時間当たりの変化量が設定変化量未満である緩慢変化状態が存在したのち、前記燃焼センサによる検出値に基づいて断火状態を検出すると、ガス欠消火状態であると判別するように構成されている。
【００１３】
すなわち、バーナによる火力が弱火よりも大きい火力に調節されて、バーナによる火力が強いときに、ガス欠によってバーナの火が断火すると、燃焼センサの検出値は、弱火用設定範囲よりも火力増大側から火力減少側へ変化して、緩慢変化状態が存在したのち、断火状態と検出する断火状態検出用範囲となる。
そして、制御手段は、その燃焼センサの検出値の変化を検出することにより、断火の原因がガス欠であるガス欠消火状態と判別することになるので、ガス欠によってバーナの火が断火したことを判別できることになる。
したがって、制御手段が、断火の原因がガス欠であると判別すると、その判別結果に基づいて、燃料タンクを交換することができるので、ガス欠に対する適正な処理を容易に行うことができることになる。
【００１４】
以上のことから、バーナの火が断火しても、その断火の原因に適した処理を容易に行うことができることとなって、使い勝手のよいガスコンロを提供できるに至った。
【００１５】
請求項４に記載の発明によれば、火力を調節自在なバーナと、そのバーナによる火力を指令する火力指令手段と、前記バーナの点火および消火を指令する点火消火指令手段と、前記バーナにより生成される火炎に対して検出作用する燃焼センサと、前記バーナの燃焼を制御する制御手段とが設けられ、
前記制御手段は、前記点火消火指令手段により点火が指令されると、前記バーナに燃料ガスを供給して点火手段を作動させる点火作動を実行し、前記点火消火指令手段により消火が指令されると、前記バーナへの燃料ガスの供給を停止する消火作動を実行し、
前記バーナの燃焼中に、前記火力指令手段による指令情報に基づいて、前記バーナへの燃料ガス供給量を調節する火力調節作動を実行するとともに、前記点火消火指令手段により消火が指令されていない状態で、前記燃焼センサによる検出値に基づいて断火状態を検出すると、前記バーナへの燃料ガスの供給を強制的に停止する強制消火作動を実行するように構成されているガスコンロであって、
前記制御手段は、強制消火作動の実行原因が吹き消えである前記強制消火作動が頻繁に存在するときには、その後の前記火力調節作動において、弱火用火力が補正用設定量だけ大きい補正弱火用火力になる状態で、前記バーナへの燃料ガス供給量を調節するように構成されている。
【００１６】
すなわち、制御手段は、吹き消えによってバーナの火が断火することが頻繁に発生するときには、その後の火力調節作動において、弱火用火力が補正用設定量だけ大きい補正弱火用火力に調整することになるので、吹き消えによってバーナの火が断火しても、再度、吹き消えによってバーナの火が断火しないように、バーナへの燃料ガス供給量の調整を自動的に行うことができることになる。
したがって、バーナの火が断火しても、その断火の原因に適した処理を自動的に行うことができることとなって、使い勝手のよいガスコンロを提供できるに至った。
【００１７】
ちなみに、制御手段は、複数回の強制消火作動の実行原因のうち、実行原因が吹き消えである強制消火作動が設定回数以上存在するときや、実行原因が吹き消えである強制消火作動が設定回数連続して実行されたときに、強制消火作動の実行原因が吹き消えである強制消火作動が頻繁に存在すると判別して、その後の火力調節作動において、弱火用火力が補正用設定量だけ大きい補正弱火用火力に調整することになる。
【００１８】
請求項５に記載の発明によれば、火力を調節自在なバーナと、そのバーナによる火力を指令する火力指令手段と、前記バーナの点火および消火を指令する点火消火指令手段と、前記バーナにより生成される火炎に対して検出作用する燃焼センサと、前記バーナの燃焼を制御する制御手段とが設けられ、
前記制御手段は、前記点火消火指令手段により点火が指令されると、前記バーナに燃料ガスを供給して点火手段を作動させる点火作動を実行し、前記点火消火指令手段により消火が指令されると、前記バーナへの燃料ガスの供給を停止する消火作動を実行し、
前記バーナの燃焼中に、前記火力指令手段による指令情報に基づいて、前記バーナへの燃料ガス供給量を調節する火力調節作動を実行するとともに、前記点火消火指令手段により消火が指令されていない状態で、前記燃焼センサによる検出値に基づいて断火状態を検出すると、前記バーナへの燃料ガスの供給を強制的に停止する強制消火作動を実行するように構成されているガスコンロであって、
前記制御手段は、強制消火作動の実行原因が煮こぼれである前記強制消火作動を実行したのち、前記点火作動の実行により再点火したときには、その再点火後の前記バーナによる火力が、前記燃焼センサによる検出値に基づいて断火状態を検出する前の火力よりも小さい火力になるように、前記バーナへの燃料ガス供給量を調整するように構成されている。
【００１９】
すなわち、制御手段は、強制消火作動の実行原因が煮こぼれである強制消火作動を実行したのち、点火作動の実行により再点火したときには、その再点火後の前記バーナによる火力を、断火検出前の火力よりも小さい火力にすることができることになるので、煮こぼれによってバーナの火が断火しても、再度、煮こぼれが発生しないように、バーナへの燃料ガス供給量の調整を自動的に行うことができることになる。
したがって、バーナの火が断火しても、その断火の原因に適した処理を自動的に行うことができることとなって、使い勝手のよいガスコンロを提供できるに至った。
【００２０】
請求項６に記載の発明によれば、火力を調節自在なバーナと、そのバーナによる火力を指令する火力指令手段と、前記バーナの点火および消火を指令する点火消火指令手段と、前記バーナにより生成される火炎に対して検出作用する燃焼センサと、前記バーナの燃焼を制御する制御手段とが設けられ、
前記制御手段は、前記点火消火指令手段により点火が指令されると、前記バーナに燃料ガスを供給して点火手段を作動させる点火作動を実行し、前記点火消火指令手段により消火が指令されると、前記バーナへの燃料ガスの供給を停止する消火作動を実行し、
前記バーナの燃焼中に、前記火力指令手段による指令情報に基づいて、前記バーナへの燃料ガス供給量を調節する火力調節作動を実行するとともに、前記点火消火指令手段により消火が指令されていない状態で、前記燃焼センサによる検出値に基づいて断火状態を検出すると、前記バーナへの燃料ガスの供給を強制的に停止する強制消火作動を実行するように構成されているガスコンロであって、
前記制御手段は、強制消火作動の実行原因がガス欠である前記強制消火作動が存在するときには、その後の前記点火作動において、前記点火作動を開始してから通常用着火確認時間よりも長いガス欠後着火確認時間経過するまで、前記点火手段の作動を継続させるように構成されている。
【００２１】
すなわち、制御手段は、強制消火作動の実行原因がガス欠である強制消火作動が存在するときには、その後の点火作動において、点火作動を開始してからガス欠後着火確認時間経過するまで、点火手段の作動を継続させることになるので、バーナへの燃料ガスの供給を的確に行っている状態で、点火手段を作動させることができ、ガス欠後の点火を的確に行うことができることになる。
【００２２】
説明を加えると、強制消火作動の実行原因がガス欠である強制消火作動が存在すると、燃料タンクを交換するなどのメンテナンス作業を行うことになるので、そのメンテナンス作業の際などに、バーナへの燃料ガス通路中の燃料ガスが空気と置き換わってしまう。
したがって、バーナへの燃料ガスの供給を開始してから、燃料ガスがバーナに到達するまでに時間がかかることになるので、強制消火作動の実行原因がガス欠である強制消火作動が存在したあとの点火作動において、点火作動を開始してから通常用着火確認時間経過するまで、点火手段を作動させるだけでは、バーナまで燃料ガスが到達していない状態での点火となり、バーナへの点火を行うことができず、点火エラーとなってしまう。
【００２３】
それに対して、点火作動を開始してから通常用着火確認時間よりも長いガス欠後着火確認時間経過するまで、点火手段を作動させているので、バーナへの燃料ガスの供給を開始してから、燃料ガスがバーナに到達するまでに時間がかかっても、バーナに燃料ガスが到達している状態での点火を行うことができ、点火エラーにもならず、ガス欠後の点火を的確に行うことができることになる。
【００２４】
以上のことから、バーナの火が断火しても、その断火の原因に適した状態でのバーナへの点火を行うことができることとなって、使い勝手のよいガスコンロを提供できるに至った。
【００２５】
【発明の実施の形態】
本発明にかかるガスコンロを図面に基づいて説明を加える。
このガスコンロは、図１〜図３に示すように、２つのコンロバーナ１を備えたコンロ部２、および、そのコンロ部１の下方側の内部に配置されたグリルバーナ３を備えたグリル部４を備えたコンロ本体５からなるテーブル式ガスコンロにて構成されている。
そして、コンロ本体５の後方側箇所には、グリル部４におけるグリルバーナ３の燃焼排ガスを排気するためのグリル排気口６が形成され、各コンロ部２の周囲は、トッププレート７にてガスコンロ上面が覆われており、このトッププレート７の上部に、各コンロ部２に対する被加熱物（鍋など）を受け止め支持するための五徳８が載置支持されている。
また、ガスコンロ前側面には、コンロバーナ１やグリルバーナ３の点火、消火や、火力調節などの各種の運転状態を指令する操作部Ｓが設けられ、制御部Ｈが、その操作部Ｓにて指令された運転状態に基づいて、コンロバーナ１およびグリルバーナ３を制御するように構成されている。
【００２６】
前記コンロバーナ１は、図１において、コンロ本体５の左側に位置する大バーナ１ａと右側に位置する並バーナ１ｂとから構成され、並バーナ１ｂ（図３中一番上のバーナ）には、五徳８にて載置支持された被加熱物の底面部に接触して、被加熱物の温度を検出する温度センサＲが設けられている。
そして、２つのコンロバーナ１の夫々には、点火用の点火手段としての点火プラグ９、および、コンロバーナ１の立ち消えなどの燃焼状態を検出する燃焼センサとしての熱電対１０が設けられている。
また、グリルバーナ３は、上面バーナ３ａと下面バーナ３ｂとを備えた両面バーナにて構成され、上面バーナ３ａおよび下面バーナ３ｂの夫々にも、点火用の点火手段としての点火プラグ９、および、グリルバーナ３の立ち消えなどの燃焼状態を検出する燃焼センサとしての熱電対１０が設けられ、グリル庫内の温度を検出するグリル庫内温度センサ１１も設けられている。
前記熱電対１０の夫々は、２つのコンロバーナ１およびグリルバーナ３により生成される火炎に対して検出作用して、その火力に応じて火力が大きいほど高い検出値を出力し、火力に応じて検出値を高低するように構成されている。
【００２７】
前記２つのコンロバーナ１およびグリルバーナ３へのガス供給路１２は、図３に示すように、大バーナ用分岐路１２ａ、並バーナ用分岐路１２ｂ、グリルバーナ用分岐路１２ｃの３系統に分岐して接続され、グリルバーナ３へのグリルバーナ用分岐路１２ｃは、さらに、上面バーナ３ａと下面バーナ３ｂの夫々に分岐接続されている。
【００２８】
そして、大バーナ用分岐路１２ａ、並バーナ用分岐路１２ｂ、および、グリルバーナ用分岐路１２ｃの夫々には、モータコック１３（１３ａ，１３ｂ，１３ｃ）、および、そのモータコック１３の開度位置を検出する位置センサ１４（１４ａ，１４ｂ，１４ｃ）が設けられている。
また、グリルバーナ用分岐路１２ｃにおける上面バーナ３ａと下面バーナ３ｂへの分岐箇所よりも上流側にガバナ２１が設けられ、ガス供給路１２における大バーナ用分岐路１２ａ、並バーナ用分岐路１２ｂ、グリルバーナ用分岐路１２ｃへの分岐箇所よりも上流側に元電磁弁２２が設けられている。
【００２９】
前記モータコック１３および位置センサ１４について、モータコック１３の組立断面図である図４の（イ）、および、モータコック１３の分解図である図４の（ロ）に基づいて説明を加える。
前記モータコック１３は、減速ギア付きのステッピングモータ１５、そのステッピングモータ１５にて回転される回転子１６、その回転子１６と一体的に回転して、ガス供給路１２の通路面積を調節する閉子１７などから構成され、ステッピングモータ１５の作動を制御することにより、閉止１７の回転位置を調整して、バーナへの燃料ガス供給量を調整自在に構成されている。
また、位置センサ１４は、開度信号用基板１９に設けられたホールＩＣ２０にて回転子１６に設けられたマグネット１８を検出することにより、モータコック１３の全開位置、半開位置、全閉位置を検出し、それら全開位置、半開位置、全閉位置の各位置の検出および各位置からのステッピングモータ１５のパルス数によって、モータコック１３の開度位置を検出するように構成されている。
ちなみに、ホールＩＣ２０は、図４の（ロ）に示すように、全開位置用のホールＩＣ２０ａ、半開位置用のホールＩＣ２０ｂ、全閉位置用のホールＩＣ２０ｃの３つが設けられている。
【００３０】
前記操作部Ｓは、図１に示すように、コンロ本体５の前面部において、左側上部に位置する大バーナ用操作部Ｓ１、左側下部に位置するグリルバーナ用操作部Ｓ３、右側に位置する並バーナ用操作部Ｓ２とから構成されている。
【００３１】
前記大バーナ用操作部Ｓ１には、図２の（イ）に示すように、大バーナ１ａの点火／消火を指令する点火消火指令手段としての点火／消火キー２３、大バーナ１ａによる火力を指令する火力指令手段としての火力調節キー２４、大バーナ１ａが燃焼中のときに点灯する燃焼ランプ２５、大バーナ１ａの火力を表示する火力表示ランプ２６などが設けられている。
また、グリルバーナ用操作部Ｓ３には、図２の（ハ）に示すように、グリルバーナ３の点火／消火を指令する点火消火指令手段としての点火／消火キー２７、両面バーナであるグリルバーナ３の燃焼状態を指令する火力指令手段としての切替キー２８、グリルバーナ３の燃焼状態を表示する燃焼状態表示ランプ２９、グリルバーナ３の燃焼中に点灯する燃焼ランプ３０などが設けられている。
【００３２】
そして、並バーナ用操作部Ｓ２には、図２の（ロ）に示すように、並バーナ１ｂの点火／消火を指令する点火消火指令手段としての点火／消火キー３１、並バーナ１ｂの火力を指令する火力指令手段としての火力調節キー３２、並バーナ１ｂの燃焼中に点灯する燃焼ランプ３３、並バーナ１ｂの火力を表示する火力表示ランプ３４、並バーナ１ｂによる調理タイマー運転における調理時間を指令する調理タイマー時間設定キー３５、その調理タイマー運転における調理時間を表示する調理タイマー時間表示部３６、１６０℃、１８０℃、２２０℃の目標温度が設定可能で天ぷら運転を指令する天ぷらキー３７、湯沸かし運転を指令する湯沸かしキー３８などが設けられている。
【００３３】
前記制御部Ｈは、マイクロコンピュータを備えて構成され、大バーナ用操作部Ｓ１、グリルバーナ用操作部Ｓ３、および、並バーナ用操作部Ｓ２による指令に基づいて、コンロバーナ１およびグリルバーナ３を点火させる点火作動および消火させる消火作動を実行し、各バーナの燃焼中に火力調節する火力調節作動を実行する通常運転を行うように構成されている。
そして、制御部Ｈは、上述の通常運転において、コンロバーナ１およびグリルバーナ３の燃焼中に熱電対１０の検出値を監視しておき、点火／消火キー２３，２７，３１にて消火が指令されていない状態で、何らかの原因によってコンロバーナ１およびグリルバーナ３の火が断火する断火状態を熱電対１０の検出値から検出すると、断火したバーナへの燃料ガスの供給を強制的に停止する強制消火作動を実行し、その強制消火作動の実行原因、すなわち断火の原因を判別する消火状態判別処理を実行するように構成されている。
【００３４】
以下、上述の通常運転における動作について説明を加えるが、通常運転における動作については、大バーナ１ａ、並バーナ１ｂ、および、グリルバーナ３のいずれも同様の動作を行うので、並バーナ１ｂについてのみ説明を加え、大バーナ１ａおよびグリルバーナ３については説明を省略する。
【００３５】
前記点火作動は、前記点火／消火キー３１にて点火が指令されると、元電磁弁２２を開弁するとともに、位置センサ１４ｂの検出情報に基づいて、モータコック１３ｂを点火用ガス量にセットし、点火プラグ９を通常用着火確認時間作動させて、熱電対１０の検出値が着火確認用設定値以上となることにより着火を確認するように構成されている。
ちなみに、通常用着火確認時間が経過しても、熱電対１０により着火を確認できないときには、点火エラーとしている。
【００３６】
そして、消火作動は、点火／消火キー３１にて消火が指令されると、元電磁弁２２およびモータコック１３ｂを閉弁させて、並バーナ１ｂの燃焼を停止させるように構成されている。
また、火力調節作動は、バーナ１ｂの燃焼中に、火力調節キー３２にて指令された火力になるように、位置センサ１４ｂの検出情報に基づいて、モータコック１３ｂを調整して火力調節するように構成されている。
【００３７】
前記強制消火作動は、並バーナ１ｂの燃焼中に、点火／消火キー３１にて消火が指令されていない状態で、熱電対１０の検出値が断火用設定値（例えば、１ｍＶ）よりも低くなることにより断火状態を検出し、元電磁弁２２およびモータコック１３ｂを閉弁させて、並バーナ１ｂへの燃料ガスの供給を強制的に停止するように構成されている。
【００３８】
前記消火状態判別処理は、熱電対１０の検出値が断火用設定値（例えば、１ｍＶ）よりも低くなるまでの変化状況に基づいて、強制消火作動の実行原因、すなわち断火の原因が、吹き消えであるか、煮こぼれであるか、あるいは、ガス欠であるかを判別するように構成されている。
ちなみに、制御部Ｈは、消火状態判別処理の実行による強制消火作動の実行原因について複数回分を記憶可能で、その記憶内容を電源リセットが行われても保持するように構成され、図外のリセットスイッチや電池を逆向きに入れることにより、記憶内容をリセットさせるようにしている。
【００３９】
前記強制消火作動の実行原因が、吹き消えであるか、煮こぼれであるか、あるいは、ガス欠であるかの判別について、熱電対１０の検出値の時間経過による変化状況を示す図５に基づいて、説明を加える。
【００４０】
まず、吹き消えについて説明すると、吹き消えが発生したときの熱電対１０の検出値の時間経過による変化状況は、図中Ａであり、制御部Ｈは、火力調節キー３２にて弱火が指令されている状態において、熱電対１０の検出値が弱火用設定範囲（図中斜線部分）にあるときに、点火／消火キー３１により消火が指令されていない状態で、熱電対１０による検出値が断火用設定値Ｖ１よりも低くなると、吹き消え消火状態であると判別するように構成されている。
【００４１】
次に、煮こぼれについて説明すると、煮こぼれが発生したときの熱電対１０の検出値の時間経過による変化状況は、図中Ｂであり、制御部Ｈは、火力調節キー３２にて弱火よりも大きい火力（図示のものでは、強火）が指令されている状態において、熱電対１０の検出値が弱火用設定範囲よりも火力増大側にあるときに、点火／消火キー３１により消火が指令されていない状態で、熱電対１０の検出値の火力減少側への単位時間当たりの変化量が設定変化量以上である急激変化状態が存在したのち、熱電対１０による検出値が断火用設定値Ｖ１よりも低くなると、煮こぼれ消火状態であると判別するように構成されている。
【００４２】
さらに、ガス欠について説明すると、ガス欠が発生したときの熱電対１０の検出値の時間経過による変化状況は、図中Ｃであり、制御部Ｈは、火力調節キー３２にて弱火よりも大きい火力（図示のものでは、中火）が指令されている状態において、熱電対１０の検出値が弱火用設定範囲よりも火力増大側にあるときに、点火／消火キー３１により消火が指令されていない状態で、熱電対１０の検出値の火力減少側への単位時間当たりの変化量が設定変化量未満である緩慢変化状態が存在したのち、熱電対１０による検出値が断火用設定値Ｖ１よりも低くなると、ガス欠消火状態であると判別するように構成されている。
【００４３】
このようにして、制御部Ｈは、大バーナ１ａ、並バーナ１ｂ、および、グリルバーナ３の夫々について、通常運転において、強制消火作動を実行することにより、吹き消え、立ち消え、ガス欠などによりバーナの火が断火したときに、バーナに燃料ガスが供給されるのを阻止するとともに、消火状態判別処理を実行することにより、断火の原因を判別して、その判別結果に基づいて、断火の原因に適した処理を容易に行えるようにしている。
【００４４】
また、制御部Ｈは、消火状態判別処理を実行することにより、断火の原因を判別するだけでなく、断火の原因を報知する報知作動を実行するとともに、再度、同じ原因によりバーナの火が断火しないように、ならびに、断火後の点火を的確に行えるように、断火の原因に適した断火後処理を自動的に行うように構成されている。
ちなみに、上述の報知作動および断火後処理の動作についても、大バーナ１ａ、並バーナ１ｂ、および、グリルバーナ３のいずれも同様の動作を行うので、並バーナ１ｂについてのみ説明を加え、大バーナ１ａおよびグリルバーナ３については説明を省略する。
【００４５】
前記報知作動について説明を加えると、図６の表に示すように、断火の原因、すなわち図中消火原因が、吹き消えおよび煮こぼれであるときには、燃焼ランプ３３を点滅させ、火力表示ランプ３４のうち、熱電対１０の検出値により断火状態を検出する前の火力、すなわち消火時の火力のみ点灯させるとともに、警報ブザーを作動させる。
また、断火の原因、すなわち図中消火原因が、ガス欠であるときには、燃焼ランプ３３を点滅させるとともに、警報ブザーを作動させるようにしている。
【００４６】
前記断火後処理において、断火の原因が吹き消えである場合について説明を加えると、制御部Ｈは、強制消火作動の実行原因が吹き消えである強制消火作動が頻繁に存在するときには、その後の火力調節作動において、弱火用火力が補正用設定量だけ大きい補正弱火用火力になる状態で、並バーナ１ｂへの燃料ガス供給量を調節する補正用火力調節作動を実行して、再度、吹き消えによって並バーナ１ｂの火が断火しないように、並バーナ１ｂへの燃料ガス供給量の調整を自動的に行うように構成されている。
ちなみに、制御部Ｈは、複数回の強制消火作動の実行原因のうち、実行原因が吹き消えである強制消火作動が設定回数以上存在するときや、実行原因が吹き消えである強制消火作動が設定回数連続して実行されたときに、強制消火作動の実行原因が吹き消えである強制消火作動が頻繁に存在すると判別するように構成されている。
【００４７】
前記補正用火力調節作動について説明を加えると、強制消火作動の実行原因が吹き消えである強制消火作動が頻繁に存在するときには、その後の火力調節作動において、予め設定されている弱火用燃料ガス供給量よりも設定量だけ多くなるように、モータコック１３の開度を予め設定されている弱火用開度位置よりも設定量だけ大きい開度位置に補正し、火力調節キー３２にて弱火が指令されると、その補正した開度位置になるようにモータコック１３の開度位置を調整するように構成されている。
【００４８】
モータコック１３の開度位置の補正について説明すると、マグネット１８とホールＩＣ２０ｂにより半開位置が検出されてから、ステッピングモータ１５を１００パルスだけ全閉位置側に回転させた位置を、モータコック１３の弱火用開度位置として初期設定している。
そして、強制消火作動の実行原因が吹き消えである強制消火作動が頻繁に存在するときには、その後の火力調節作動において、マグネット１８とホールＩＣ２０ｂにより半開位置が検出されてから、ステッピングモータ１５を１００パルスよりも設定量少ないパルス数だけ全閉位置側に回転させた位置を、モータコック１３の弱火用開度位置として補正する。
ちなみに、モータコック１３の弱火用開度位置の補正量がエラー判別用設定量以上となると、メンテナンス作業をするようにエラー報知するようにしている。
【００４９】
前記断火後処理において、断火の原因が煮こぼれである場合について説明を加えると、制御部Ｈは、強制消火作動の実行原因が煮こぼれである強制消火作動を実行したのち、点火作動の実行により再点火したときには、その再点火後の並バーナ１ｂによる火力が、熱電対１０による検出値に基づいて断火状態を検出する前の火力よりも小さい火力になるように、並バーナ１ｂへの燃料ガス供給量を調整する煮こぼれ再点火作動を実行して、再度、煮こぼれが発生しないように、並バーナ１ｂへの燃料ガス供給量の調整を自動的に行うようにしている。
【００５０】
前記煮こぼれ再点火作動について説明を加えると、煮こぼれにより断火された後の再点火においては、点火作動を実行して、並バーナ１ｂに点火させたのち、並バーナ１ｂの火力が消火時の火力よりも小さい火力になるように、モータコック１３の開度位置を調整するようにしている。
【００５１】
前記断火後処理において、断火の原因がガス欠である場合について説明を加えると、制御部Ｈは、強制消火作動の実行原因がガス欠である強制消火作動が存在するときには、その後の点火作動において、点火作動を開始してから通常用着火確認時間よりも長いガス欠後着火確認時間経過するまで、点火プラグ９の作動を継続させるガス欠後用点火作動を実行して、ガス欠後の点火を的確に行うようにしている。
【００５２】
前記ガス欠後点火作動について説明を加えると、ガス欠消火状態となると、燃料タンクの交換などにより、燃料ガス供給路１２中の燃料ガスが空気と置き換わり、燃料ガスの供給を開始してから実際に並バーナ１ｂに燃料ガスが到達するまでに時間がかかる。
したがって、ガス欠後の点火作動においては、通常用着火確認時間よりも長いガス欠後着火確認時間点火プラグ９を作動させることにより、並バーナ１ｂに燃料ガスが的確に到達している状態で点火させて、並バーナ１ｂへの点火を的確に行うようにしている。
【００５３】
前記制御部Ｈによる通常運転の動作について、図７のフローチャートに基づいて説明する。
ちなみに、この通常運転の動作についての説明においても、並バーナ１ｂについてのみ説明を加え、大バーナ１ａおよびグリルバーナ３については説明を省略する。
【００５４】
前記点火／消火キー３１にて点火が指令されると、煮こぼれ消火状態後の点火指令でもなく、ガス欠消火状態後の点火指令でもなければ、点火作動を実行して、並バーナ１ｂに点火させる（ステップ１〜４）。
そして、煮こぼれ消火状態後の点火指令であると、煮こぼれ後再点火作動を実行して、並バーナ１ｂに点火させたのち、並バーナ１ｂの火力を消火前の火力よりも小さい火力に調節する（ステップ２，５）。
また、ガス欠消火状態後の点火指令であると、ガス欠後点火作動を実行して、点火プラグ９をガス欠後着火確認時間作動させて、並バーナ１ｂに点火させる（ステップ３，６）。
【００５５】
そして、並バーナ１ｂに着火されると、強制消火作動の実行原因が吹き消えである強制消火作動が頻繁に存在するか否かを判別し、強制消火作動の実行原因が吹き消えである強制消火作動が頻繁に存在しなければ、火力調節作動を実行して、火力調節キー３２の指令情報に基づいて、モータコック１３の開度位置を調整するようにしている（ステップ７，８）。
また、強制消火作動の実行原因が吹き消えである強制消火作動が頻繁に存在するときには、補正用火力調節作動を実行して、モータコック１３の弱火用開度位置を補正した状態で、火力調節キー３２の指令情報に基づいて、モータコック１３の開度位置を調整するようにしている（ステップ７，９）。
そして、モータコック１３の弱火用開度位置の補正量がエラー判別用設定量以上となると、メンテナンス作業をするようにエラー報知するようにしている（ステップ１０，１１）。
【００５６】
並バーナ１ｂの燃焼中に、熱電対１０の検出値Ｖが断火用設定値Ｖ１以上で断火状態が検出されず、点火／消火キー３１にて消火が指令されなければ、上述の動作を繰り返し（ステップ１２，１３）、並バーナ１ｂの燃焼中に、熱電対１０の検出値Ｖが断火用設定値Ｖ１以上で断火状態が検出されない状態で、点火／消火キー３１にて消火が指令されると、消火作動を実行して、並バーナ１ｂへの燃料ガスの供給を停止する（ステップ１３，１４）。
【００５７】
そして、並バーナ１ｂの燃焼中に、熱電対１０の検出値Ｖが断火用設定値Ｖ１よりも低くなり、断火状態が検出されると、強制消火作動を実行して、並バーナ１ｂへの燃料ガスの供給を強制的に停止さるとともに、消火状態判別処理を実行して、断火の原因を判別する（ステップ１２，１５，１６）。
そして、消火状態判別処理を実行した後、報知作動を実行して、断火の原因を報知する（ステップ１７）。
【００５８】
上述の如く、制御部Ｈは、大バーナ用操作部Ｓ１、グリルバーナ用操作部Ｓ３、および、並バーナ用操作部Ｓ２による指令に基づいて、２つのコンロバーナ１およびグリルバーナ３の通常運転を実行するが、並バーナ１ｂについては、通常運転に加えて、以下の自動調理運転を実行するように構成されている。
【００５９】
前記自動調理運転は、調理タイマー時間設定キー３５による指令に基づく調理タイマー運転、天ぷらキー３７による指令に基づく天ぷら運転、湯沸かしキー３８による指令に基づく湯沸かし運転の夫々を実行するように構成されている。
【００６０】
前記調理タイマー運転は、調理タイマー時間設定キー３５にて調理時間を設定した状態で、点火／消火キー３１にて点火が指令されるに伴って、並バーナ１ｂの点火作動を実行するとともに、制御部Ｈに内蔵された自動消火タイマー３９による自動消火用経時時間の計時作動を開始させる。
そして、自動消火用経時時間が調理タイマー時間設定キー３５にて設定された調理時間になると、並バーナ１ｂの燃焼を自動的に停止させるとともに、図６の表に示すように、警報ブザーを作動させて報知するようにしている。
また、並バーナ１ｂの燃焼中に、火力調節キー３２にて火力調節が指令されると、火力調節作動を実行し、自動消火用経時時間が調理時間になっていなくても、点火／消火キー３１にて消火が指令されると、並バーナ１ｂの燃焼を停止させるようにしている。
【００６１】
前記天ぷら運転は、天ぷらキー３７が押された状態で、点火／消火キー３１にて点火が指令されると、並バーナ１ｂの点火作動を実行し、並バーナ１ｂによる加熱を開始して、温度センサＲの検出温度が目標温度（１６０℃、１８０℃、２２０℃）になるように、並バーナ１ｂの火力調節を行うようにしている。
【００６２】
前記湯沸かし運転は、湯沸かしキー３８が押された状態で、点火／消火キー３１にて点火が指令されると、並バーナ１ｂの点火作動を実行し、並バーナ１ｂによる加熱を開始して、並バーナ１ｂの火力が大になるように火力調節し、温度センサＲの検出温度により沸騰したことを検出すると、並バーナ１ｂの火力が小になるように火力調節して自動的に湯を沸かすようにしている。
【００６３】
また、制御部Ｈは、並バーナ１ｂについては、上述の強制消火作動に加えて、内蔵された自動消火タイマー３９を用いて、並バーナ１ｂによる加熱を自動的に停止させる自動消火処理、および、温度センサＲの検出情報により異常高温を検出すると、並バーナ１ｂによる加熱を自動的に停止させる高温異常処理などを実行するように構成されている。
ちなみに、グリルバーナ３については、グリル庫内温度センサ１１の検出情報により異常高温を検出すると、グリルバーナ３による加熱を自動的に停止させる高温異常処理を実行することも可能である。
【００６４】
前記自動消火処理は、通常運転や自動調理運転中に、自動消火タイマー３９による自動消火用経時時間が自動消火用時間になると、並バーナ１ｂへの燃料ガスの供給を停止して、並バーナ１ｂによる加熱を強制的に停止させるとともに、図６の表に示すように、警報ブザーを作動させるとともに、火力表示ランプ３４のうち、消火時の火力のみ点滅させて、報知するようにしている。
また、高温異常処理は、温度センサＲの検出温度が設定温度以上となると、並バーナ１ｂへの燃料ガスの供給を停止して、並バーナ１ｂによる加熱を強制的に停止させるとともに、図６の表に示すように、燃焼ランプ３３を点滅させ、火力表示ランプ３４のうち、熱電対１０の検出値により断火状態を検出する前の火力、すなわち消火時の火力のみ点滅させるとともに、警報ブザーを作動させて、報知するようにしている。
【００６５】
また、モータコック１３や熱電対１０の故障など、その他の故障が発生すると、図６の表に示すように、燃焼ランプ点滅させ、火力表示ランプ３４のすべての火力を点滅させるとともに、警報ブザーを作動させて、報知するようにしている。
【００６６】
〔別実施形態〕
（１）上記実施形態では、消火状態判別処理において、断火の原因として、吹き消え、煮こぼれ、ガス欠の３つの原因を判別するようにしているが、吹き消えのみや煮こぼれのみなど、ひとつの断火の原因を判別するようにしたり、吹き消えであるか、煮こぼれであるかなど、二つの断火の原因を判別するようにして実施することが可能であり、消火状態判別処理により判別する断火の原因の種類数については、適宜変更が可能である。
【００６７】
（２）上記実施形態では、断火の原因が、吹き消えであるか、煮こぼれであるか、ガス欠であるかの判別を、熱電対１０の検出値の変化状況に基づいて行うようにしているが、例えば、バーナの雰囲気の風速を検出するセンサを設けて、そのセンサの検出情報に基づいて、断火の原因が吹き消えであると判別したり、センサなどを設けずに、人為的に断火の原因が煮こぼれであると判別するように構成することが可能であり、断火の原因の判別については、熱電対１０の検出値の変化状況に基づいて行う構成に限られるものではない。
なお、断火の原因を人為的に判別する場合には、その判別結果を制御部Ｈに入力することにより、その判別結果に基づいて、断火後処理を実行することができることになる。
【００６８】
（３）上記実施形態では、制御部Ｈは、断火後処理として、補正用火力調節作動、煮こぼれ後再点火作動、および、ガス欠後点火作動の断火の原因に適した処理を行うように構成されているが、補正用火力調節作動のみや煮こぼれ後再点火作動のみ、あるいは、補正用火力調節作動および煮こぼれ後再点火作動など、断火後処理の処理数については、適宜変更が可能である。
また、このような断火後処理を行わず、消火状態判別処理を実行することにより、断火の原因を判別して、断火の原因を報知する報知作動を実行するだけでもよい。
【００６９】
（４）上記実施形態では、制御部Ｈは、消火状態判別処理の実行による強制消火作動の実行原因について複数回分を記憶可能で、その記憶内容を電源リセットが行われても保持するように構成しているが、電源リセットごとに記憶内容をリセットするように構成して実施することも可能であり、消火状態判別処理の実行による強制消火作動の実行原因を記憶するための構成およびその記憶内容をリセットするための構成については、適宜変更が可能である。
【００７０】
（５）上記実施形態では、モータコック１３の開度位置を調整することにより、バーナへの燃料ガス供給量を調整するように構成しているが、モータコック１３に加えて、比例弁および電磁弁を加えたり、あるいは、モータコック１３に代えて、比例弁および電磁弁を設けるなど、バーナへの燃料ガス供給量を調整するための構成については、適宜変更が可能である。
【００７１】
（６）上記実施形態では、燃焼センサとして熱電対１０を例示したが、その他のセンサを適応することも可能である。
【００７２】
（７）上記実施形態では、２つのコンロバーナ１およびグリルバーナ３の夫々について、消火状態判別処理を実行するようにしているが、例えば、並バーナ１ｂについてのみ、消火状態判別処理を実行するように構成することも可能であり、消火状態判別処理の対象バーナの数については、適宜変更が可能である。
【００７３】
（８）上記実施形態では、本発明にかかるガスコンロをテーブル式ガスコンロに適応した例を示したが、ビルトイン式ガスコンロにも適応することが可能であり、各種のガスコンロに適応することが可能である。
【図面の簡単な説明】
【図１】ガスコンロの全体斜視図
【図２】ガスコンロの操作部を示す図
【図３】ガスコンロの概略構成図
【図４】ガスコンロの要部を示す図
【図５】燃焼センサの検出値の時間経過に伴う変化を示すグラフ
【図６】報知作動における報知内容を示す表
【図７】制御部の動作を示すフローチャート
【符号の説明】
１，３　　　　　　　バーナ
９　　　　　　　　　点火手段
１０　　　　　　　　燃焼センサ
２３，２７，３１　　点火消火指令手段
２４，２８，３２　　火力指令手段
Ｈ　　　　　　　　　制御手段
【図１】
2004108694.tif 000003
【図２】
2004108694.tif 000004
【図３】
2004108694.tif 000005
【図４】
2004108694.tif 000006
【図５】
2004108694.tif 000007
【図６】
2004108694.tif 000008
【図７】
2004108694.tif 000009